(57)【要約】【課題】動画像データを視聴しているユーザに対して、センサの検出結果を有効に通知したい。【解決手段】動画像再生部２８は、複数の画像フレームにて形成された動画像データを連続して再生する。表示部１２は、再生した動画像データを表示する。挿入部１８は、動画像データの表示を制御する。第１スイッチ４４は、センサ部１６からの通知を受けつける。第２スイッチ４６は、通知を受けつけた場合に、メッセージが示された画像フレームを取得する。挿入部１８は、再生した動画像データの所定の区間にわたって周期的に、第２スイッチ４６において取得した画像フレームを挿入する。【選択図】図１
2010154288.tif 000002
【特許請求の範囲】
【請求項１】
複数の画像フレームにて形成された動画像データを連続して再生する再生部と、
前記再生部において再生した動画像データを表示する表示部と、
前記表示部における動画像データの表示を制御する制御部とを備え、
前記制御部は、
センサからの通知を受けつける受付部と、
前記受付部において通知を受けつけた場合に、メッセージが示された画像フレームを取得する取得部と、
前記再生部において再生した動画像データの所定の区間にわたって周期的に、前記取得部において取得した画像フレームを挿入するように表示部に指示する指示部と、
を備えることを特徴とする表示装置。
【請求項２】
前記制御部は、
前記再生部における動画像データでの各画像フレームの再生タイミングに同期した挿入タイミングを生成する生成部をさらに備え、
前記指示部は、前記生成部において生成した挿入タイミングをもとに、前記再生部における動画像データを形成している画像フレーム単位に、前記取得部において取得した画像フレームを挿入するように表示部に指示することを特徴とする請求項１に記載の表示装置。
【請求項３】
前記受付部は、複数のセンサのうちの少なくともひとつからの通知を受けつけ、
前記取得部は、前記受付部において受けつけた通知に対応したセンサを特定するとともに、特定したセンサに応じた内容のメッセージが示された画像フレームを取得することを特徴とする請求項１または２に記載の表示装置。
【発明の詳細な説明】
【技術分野】
【０００１】
本発明は、表示装置に関し、特に動画像データを再生する表示装置に関する。
【背景技術】
【０００２】
デジタルデータを記録するための記録媒体のひとつが、光ディスクである。また、光ディスクのひとつが、ＤＶＤ（Ｄｉｇｉｔａｌ  Ｖｅｒｓａｔｉｌｅ  Ｄｉｓｋ）である。このようなＤＶＤには、例えば、動画像データが記録される。また、動画像データの容量を圧縮するために、ＭＰＥＧ（Ｍｏｖｉｎｇ  Ｐｉｃｔｕｒｅ  Ｅｘｐｅｒｔｓ  Ｇｒｏｕｐ）等の高効率符号化方式が、一般的に使用されている（例えば、非特許文献１参照）。
【非特許文献１】勝浦  寛治、図解入門よくわかる最新ＤＶＤ技術の基本と仕組み、日本、秀和システム、２００５年１１月
【発明の開示】
【発明が解決しようとする課題】
【０００３】
光ディスクに記録された動画像データを視聴しているユーザは、一般的に動画像データの内容に注目している場合が多い。そのようなユーザに対して、センサにおける検出結果を通知する場合、ユーザは通知に気がつかないおそれがある。そのため、このような状況下においても、センサの検出結果をユーザに有効に通知することが望まれる。
【０００４】
本発明はこうした状況に鑑みてなされたものであり、その目的は、動画像データを視聴しているユーザに対して、センサの検出結果を有効に通知する技術を提供することにある。
【課題を解決するための手段】
【０００５】
上記課題を解決するために、本発明のある態様の表示装置は、複数の画像フレームにて形成された動画像データを連続して再生する再生部と、再生部において再生した動画像データを表示する表示部と、表示部における動画像データの表示を制御する制御部とを備える。制御部は、センサからの通知を受けつける受付部と、受付部において通知を受けつけた場合に、メッセージが示された画像フレームを取得する取得部と、再生部において再生した動画像データの所定の区間にわたって周期的に、取得部において取得した画像フレームを挿入するように表示部に指示する指示部と、を備える。
【０００６】
この態様によると、再生した動画像データの所定の区間にわたって周期的に、メッセージが示された画像フレームを挿入して表示するので、動画像データを視聴しているユーザに対して、センサの検出結果を有効に通知できる。
【０００７】
制御部は、再生部における動画像データでの各画像フレームの再生タイミングに同期した挿入タイミングを生成する生成部をさらに備えてもよい。指示部は、生成部において生成した挿入タイミングをもとに、再生部における動画像データを形成している画像フレーム単位に、取得部において取得した画像フレームを挿入するように表示部に指示してもよい。この場合、動画像データでの各画像フレームの再生タイミングに同期するように、メッセージが示された画像フレームを挿入するので、メッセージが示された画像フレームを挿入するときでも、動画像データをスムーズに再生できる。
【０００８】
受付部は、複数のセンサのうちの少なくともひとつからの通知を受けつけ、取得部は、受付部において受けつけた通知に対応したセンサを特定するとともに、特定したセンサに応じた内容のメッセージが示された画像フレームを取得してもよい。この場合、検知がなされたセンサに応じてメッセージの内容を変更するので、詳細な情報をユーザに通知できる。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、動画像データを視聴しているユーザに対して、センサの検出結果を有効に通知できる。
【発明を実施するための最良の形態】
【００１１】
本発明を具体的に説明する前に、概要を述べる。本発明の実施例は、光ディスクに記録された動画像データを再生し、再生した動画像データをモニタへ表示する表示装置に関する。動画像データを視聴しているユーザに対して、センサの検出結果を有効に通知するために、本実施例に係る表示装置は、次の処理を実行する。表示センサは、例えば、発煙センサに接続される。表示装置は、発煙が検知された旨を発煙センサから受けつけると、「発煙発生」や「避難せよ」等のメッセージを周期的に動画像データの代わりにモニタへ表示する。ここで、動画像データは、複数の画像フレームによって構成されている。
【００１２】
特に、表示装置は、各画像フレームの再生タイミングを取得し、再生タイミングに同期したタイミングでメッセージを周期的に挿入する。つまり、所定の画像フレームを置換するようにメッセージが表示する。このように、再生されている動画像データの間に、画像フレームと置き換わるようにメッセージが周期的に表示されるので、動画像データの再生への妨げを低減しながら、メッセージをユーザへ効果的に通知できる。
【００１３】
図１は、本発明の実施例に係る表示装置１００の構成を示す。表示装置１００は、光ディスク再生部１０、表示部１２、緊急情報再生部１４、センサ部１６、挿入部１８、制御部３６を含む。また、光ディスク再生部１０は、光ディスク２０、スピンドルモータ２２、再生制御部２４、光ヘッド２６、動画像再生部２８を含み、再生制御部２４は、モータ駆動制御部３０、光ヘッドアクチュエータ制御部３２、光ヘッド位置制御部３４を含む。また、緊急情報再生部１４は、生成部４０、記憶部４２、第１スイッチ４４、第２スイッチ４６を含む。挿入部１８は、第１減衰部６０、否定演算回路６２、第２減衰部６４、合成部６６を含む。
【００１４】
光ディスク２０は、ＤＶＤのような記録媒体である。光ディスク２０には、複数のセクタが配置されており、データの記録・再生は、セクタというブロック単位でなされる。データには、動画像データ、静止画像データ、文字データ等が含まれるが、ここでは、動画像データを説明の対象にする。なお、以下では、動画像そのものあるいは動画像のデジタルデータを区別せずに「動画像」という。また、光ディスク２０には、動画像が既に記録されているものとする。
【００１５】
スピンドルモータ２２は、光ディスク２０を回転させるためのモータである。モータ駆動制御部３０は、光ディスク２０の回転方式にしたがってスピンドルモータ２２を安定に回転させるための制御を実行する。ここで、回転制御には、例えば、ＣＬＶ（Ｃｏｎｓｔａｎｔ  Ｌｉｎｅａｒ  Ｖｅｌｏｃｉｔｙ）、ＣＡＶ（Ｃｏｎｓｔａｎｔ  Ａｎｇｕｌａｒ  Ｖｅｌｏｃｉｔｙ）、ＺＣＬＶ（Ｚｏｎｅ  Ｃｏｎｓｔａｎｔ  Ｌｉｎｅａｒ  Ｖｅｌｏｃｉｔｙ）が含まれる。
【００１６】
光ヘッド２６は、光スポットを使用して光ディスク２０の動画像を再生するデバイスである。光ヘッド２６は、半導体レーザ、光検出器、対物レンズ等の光学部品、対物レンズ駆動用アクチュエータにて構成されるが、公知の技術であるので、ここでは詳細を省略する。光ヘッドアクチュエータ制御部３２は、光ヘッド２６を構成している対物レンズ駆動用アクチュエータの動作を制御する。光ヘッド位置制御部３４は、光ディスク２０を構成しているセクタに付与されたアドレスを読み取りながら、光ヘッド２６全体を再生すべきセクタの近傍まで移動させる。
【００１７】
動画像再生部２８は、光ヘッド２６からの動画像を入力する。当該動画像は、光ヘッド２６によって光ディスク２０から検出された信号である。動画像再生部２８は、当該動画像を復号した後に、誤り訂正検出・補正を実行する。ここでは、その結果の動画像もまた「動画像」という。この動画像には、高効率符号化方式がなされているので、動画像再生部２８は、動画像を復号する（以下、復号した動画像も「動画像」という）。前述のごとく、動画像は、複数の画像フレームにて形成されており、動画像再生部２８は、当該動画像を連続して再生する。また、動画像再生部２８は、動画像に含まれた各画像フレームの再生タイミングを生成する。動画像再生部２８は、動画像を第１減衰部６０へ出力し、再生タイミングを生成部４０へ出力する。
【００１８】
ここでは、動画像再生部２８から出力される動画像の再生タイミングをさらに説明する。図２（ａ）−（ｄ）は、表示装置１００の動作原理を示す。図２（ａ）は、動画像再生部２８から出力される動画像を示す。横軸が時間を示す。「動画像」と示されたブロックが時間方向に複数配置されている。ひとつのブロックが１秒間に含まれる複数の画像フレームの集合に相当する。動画像が３０フレーム／秒である場合、ひとつのブロックに「３０」の画像フレームが含まれる。また、再生タイミングは、各画像フレームに同期するように生成される。図２（ｂ）以降の説明は、後述する。図１に戻る。
【００１９】
センサ部１６は、発煙センサにて構成されており、発煙を検知する。発煙センサの構成は公知の技術であるので、ここでは説明を省略する。センサ部１６は、検出結果を第１スイッチ４４へ出力する。例えば、センサ部１６は、発煙を検出していない状態において検出結果としてＬｏｗレベルを出力し、発煙を検出している状態において検出結果としてＨｉｇｈレベルを出力する。生成部４０は、動画像再生部２８からの再生タイミングを受けつける。生成部４０は、再生タイミングに同期した挿入タイミングを生成する。例えば、再生タイミングが、３０フレーム／秒に対応したクロック信号である場合、挿入タイミングは、連続した１５フレームにわたってＨｉｇｈレベルとなり、次の１５フレームにわたってＬｏｗレベルとなることを繰り返すクロック信号である。生成部４０は、第１スイッチ４４および第２スイッチ４６へ挿入タイミングを出力する。
【００２０】
第１スイッチ４４は、センサ部１６からの検出結果を受けつける。第１スイッチ４４は、検出結果がＬｏｗレベルの場合、つまり発煙が検出されていない場合において、グランドと挿入部１８とを接続する。その結果、挿入部１８への電力がグランドレベル（以下、便宜上これも「Ｌｏｗレベル」という）になる。一方、第１スイッチ４４は、検出結果がＨｉｇｈレベルの場合、つまり発煙が検出されてる場合において、生成部４０と挿入部１８とを接続する。その結果、挿入部１８へ挿入タイミングが出力される。ここでは、第１スイッチ４４から出力される信号をさらに説明する。図２（ｂ）は、検出結果がＬｏｗレベルの場合に、第１スイッチ４４から出力される信号を示す。図示のごとく、定常的にＬｏｗレベルが示されている。また、図２（ｃ）は、検出結果がＨｉｇｈレベルの場合に、第１スイッチ４４から出力される信号を示す。図示のごとく、１秒の間にＨｉｇｈレベルとＬｏｗレベルとが含まれている。ここでは、０．５秒間のＬｏｗレベルに続いて０．５秒間のＨｉｇｈレベルを示した組合せが、周期的に繰り返されている。図１に戻る。
【００２１】
記憶部４２は、センサ部１６において発煙が検出された場合に表示すべきメッセージを記憶する。ここで、メッセージは、画像フレーム内に記載されるように規定されており、「緊急情報」とも呼ばれる。前述のごとく、メッセージとして、「発煙発生」や「避難せよ」等が示されている。第２スイッチ４６は、生成部４０からの挿入タイミングを受けつける。第２スイッチ４６は、挿入タイミングがＨｉｇｈレベルの区間にわたって、記憶部４２と第２減衰部６４とを接続する。つまり、第２スイッチ４６は、Ｈｉｇｈレベルの区間にわたって、記憶部４２に記憶したメッセージを第２減衰部６４へ出力させる。前述のごとく、Ｈｉｇｈレベルの区間が１５フレームであれば、第２スイッチ４６は、メッセージが示された画像フレームを１５回取得して、第２減衰部６４へ出力する。
【００２２】
第１減衰部６０は、一端において、動画像再生部２８からの動画像を受けつけ、他端において、第１スイッチ４４からの信号を受けつける。第１減衰部６０は、第１スイッチ４４からの信号がＬｏｗレベルである場合に、動画像再生部２８からの動画像を合成部６６へ出力する。また、第１減衰部６０は、第１スイッチ４４からの信号がＨｉｇｈレベルである場合に、動画像再生部２８からの動画像を減衰させる。例えば、動画像の出力が中止される。その結果、発煙が検出されていない場合において、動画像が継続して出力され、発煙が検出されている場合において、１５フレームごとに、動画像を出力する状態と、動画像を出力しない状態とが、切りかえられる。否定演算回路６２は、第１スイッチ４４からの信号を受けつけ、信号を反転させる。つまり、否定演算回路６２は、ＨｉｇｈレベルをＬｏｗレベルに変換し、ＬｏｗレベルをＨｉｇｈレベルに変換する。否定演算回路６２は、反転した信号を第２減衰部６４へ出力する。
【００２３】
第２減衰部６４は、一端において、記憶部４２からの画像フレームを受けつけ、他端において、否定演算回路６２からの信号を受けつける。第２減衰部６４は、否定演算回路６２からの信号がＬｏｗレベルである場合に、記憶部４２からの画像フレームを合成部６６へ出力する。また、第２減衰部６４は、否定演算回路６２からの信号がＨｉｇｈレベルである場合に、何も出力しない。その結果、発煙が検出されていない場合において、何も出力されず、発煙が検出されている場合において、１５フレームごとに、画像フレームが出力される。ここで、否定演算回路６２において第１スイッチ４４からの信号が反転されているので、第１減衰部６０が動画像を出力するタイミングと、第２減衰部６４が画像フレームを出力するタイミングとは、互いに異なっている。
【００２４】
合成部６６は、一端において、第１減衰部６０からの動画像を受けつけ、他端において、第２減衰部６４からの画像フレームを受けつける。合成部６６は、第１減衰部６０からの入力と第２減衰部６４からの入力とを合成して出力する。その結果、合成部６６は、発煙が検出されていない場合において、動画像を継続的に出力し、発煙が検出されている場合において、１５フレームごとに、動画像と画像フレームとを周期的に切りかえて出力する。つまり、後者の場合において、合成部６６は、動画像の所定の区間にわたって周期的に、画像フレームを挿入する。ここで、合成部６６は、挿入タイミングをもとに、動画像を形成している画像フレーム単位に、メッセージが示された画像フレームを挿入する。
【００２５】
ここで、合成部６６からの出力、特に発煙が検出されている場合の出力をさらに説明する。図２（ｄ）は、発煙が検出されている場合の合成部６６からの出力を示す。図示のごとく、第１スイッチ４４からの信号がＬｏｗレベルを示している期間にわたって、動画像フレームが出力され、第１スイッチ４４からの信号がＨｉｇｈレベルを示している期間にわたって、メッセージを示した画像フレームが出力されている。また、前述のごとく、第１スイッチ４４からの信号がＨｉｇｈレベルを示している期間において、「１５」の画像フレームが含まれ、第１スイッチ４４からの信号がＬｏｗレベルを示している期間においても、「１５」の画像フレームが含まれる。図１に戻る。以上のように、緊急情報再生部１４、挿入部１８は、センサ部１６での検出結果に応じて、表示部１２における動画像の表示を制御する。表示部１２は、合成部６６からの出力を表示する。制御部３６は、表示装置１００の動作を制御する。
【００２６】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２７】
以上の構成による表示装置１００の動作を説明する。図３は、表示装置１００による再生手順を示すフローチャートである。第１スイッチ４４がセンサ部１６からの通知を受けつけない場合（Ｓ１０のＮ）、挿入部１８は、動画像を再生する（Ｓ１２）。一方、第１スイッチ４４がセンサ部１６からの通知を受けつける場合（Ｓ１０のＹ）、挿入部１８は、緊急情報を挿入しながら動画像を再生する（Ｓ１４）。動画像に続きがあれば（Ｓ１６のＹ）、ステップ１０に戻り、動画像に続きがなければ（Ｓ１６のＮ）、処理は終了される。
【００２８】
以下、本発明の変形例を説明する。変形例に係る表示装置１００は、実施例と同様に、光ディスクに記録した動画像データを再生してモニタへ表示する。また、表示装置１００は、センサでの検出結果も周期的にモニタへ表示する。変形例では、複数のセンサを使用することによって、ユーザに対して詳細な情報を通知することを目的とする。変形例に係る表示装置１００は、複数のセンサに接続されている。また、表示装置１００は、各センサでの検出結果のそれぞれに対応したメッセージを予め記憶する。例えば、第１センサにて検出がなされた場合のメッセージ、第２センサにて検出がなされた場合のメッセージ、第１センサと第２センサにて検出がなされた場合のメッセージが記憶される。表示装置１００は、検出結果を受けつけた場合に、それに対応したセンサを特定することによって、所望のメッセージを選択する。また、表示装置１００は、実施例と同様に、メッセージをモニタへ表示する。
【００２９】
図４は、本発明の変形例に係る表示装置１００の構成を示す。表示装置１００は、光ディスク再生部１０、表示部１２、緊急情報再生部１４、センサ部１６と総称される第１センサ部１６ａ、第２センサ部１６ｂ、挿入部１８、制御部３６を含む。また、緊急情報再生部１４は、生成部４０、記憶部４２、第１スイッチ４４、第２スイッチ４６、方向判定部４８、コンテンツ選択部５０を含む。光ディスク再生部１０、挿入部１８は、図１と同様に構成される。ここでは、図１との差異を中心に説明する。
【００３０】
各センサ部１６は、図１と同様に構成されている。ここで、第１センサ部１６ａと第２センサ部１６ｂは、所定のエリア、例えば、ビルのひとつのフロアにおける別の場所に設置されている。説明を明瞭にするために、フロアの北側に第１センサ部１６ａが設置され、フロアの南側に第２センサ部１６ｂが設置されているとする。その結果、各センサ部１６は、互いに異なった場所での発煙を検知する。なお、各センサ部１６は、異なった種類のセンサであってもよい。方向判定部４８は、第１センサ部１６ａおよび第２センサ部１６ｂに接続され、これらのうちの少なくともひとつからの通知を受けつける。
【００３１】
また、方向判定部４８は、これらからの通知をもとに、通知に対応したセンサ部１６や発煙の発生場所を特定する。例えば、方向判定部４８は、第１センサ部１６ａからの通知を受けつけた場合、第１センサ部１６ａや北側での発煙を特定し、第２センサ部１６ｂからの通知を受けつけた場合、第２センサ部１６ｂや南側での発煙を特定する。また、方向判定部４８は、第１センサ部１６ａと第２センサ部１６ｂとからの通知を受けつけた場合、ふたつのセンサ部１６や北側と南側の両方での発煙を特定する。方向判定部４８は、特定した結果をコンテンツ選択部５０へ出力する。
【００３２】
コンテンツ選択部５０は、方向判定部４８からの特定結果を受けつける。また、コンテンツ選択部５０は、特定結果に応じた内容のメッセージが示された画像フレームを決定する。図５は、コンテンツ選択部５０に記憶されたテーブルのデータ構造を示す。図示のごとく、テーブルは、第１センサ部欄２００、第２センサ部欄２０２、緊急情報欄２０４を含む。第１センサ部欄２００および第２センサ部欄２０２には、方向判定部４８での特定結果が示されており、「○」が検知されている場合に相当し、「×」が検知されていない場合に相当する。
【００３３】
また、緊急情報欄２０４には、選択されるべき緊急情報の種類が示されている。例えば、第１センサ部１６ａだけが発煙を検知した場合、コンテンツ選択部５０は、第１緊急情報を選択し、第２センサ部１６ｂだけが発煙を検知した場合、コンテンツ選択部５０は、第２緊急情報を選択する。また、第１センサ部１６ａおよび第２センサ部１６ｂの両方が発煙を検知した場合、コンテンツ選択部５０は、第３緊急情報を選択する。図４に戻る。コンテンツ選択部５０は、選択した緊急情報を記憶部４２から出力させる。
【００３４】
記憶部４２は、前述のメッセージとして、第１緊急情報から第３緊急情報を記憶し、コンテンツ選択部５０からの指示にしたがっていずれかの緊急情報を第２スイッチ４６へ出力する。例えば、第１緊急情報には、「北側で発煙発生」や「南側に避難せよ」というメッセージが示されており、第２緊急情報には、「南側で発煙発生」や「北側に避難せよ」というメッセージが示されている。さらに、第３緊急情報には、「北側と南側で発煙発生」というメッセージが示されている。
【００３５】
このような複数種類の緊急情報が記憶されている場合に、コンテンツ選択部５０は、第１センサ部１６ａと第２センサ部１６ｂとの両方で情報検知した場合、第１センサ部１６ａと第２センサ部１６ｂでの検知順序に応じて、緊急情報のメッセージを変えてもよい。つまり、第３緊急情報には、第１センサ部１６ａにおいて既に検知がなされている状態から、第２センサ部１６ｂにおいて新たに検知がなされた場合のメッセージ（以下、「第１メッセージ」という）と、第１センサ部１６ａにおいて既に検知がなされている状態から、第２センサ部１６ｂにおいて新たに検知がなされた場合のメッセージ（以下、「第２メッセージ」という）とが含まれていてもよい。
【００３６】
例えば、第１メッセージは、「北側で発煙発生に加えて南側でも発煙発生」であり、第２メッセージは、「南側で発煙発生に加えて北側でも発煙発生」である。コンテンツ選択部５０は、第１センサ部１６ａおよび第２センサ部１６ｂでの検知順序に応じて、第１メッセージあるいは第２メッセージを選択する。また、第１センサ部１６ａや第２センサ部１６ｂでの検知時間に応じて、別のメッセージが選択されるように、それぞれに応じたメッセージが記憶部４２に記憶されていてもよい。
【００３７】
例えば、第１センサ部１６ａが発煙センサであり、第２センサ部１６ｂがガス漏れセンサである場合、第１センサ部１６ａのみの検知時は「北側で発煙発生」や「南側に避難せよ」というメッセージが表示される。これに加えて、第１センサ部１６ａの検知状態で第２センサ部１６ｂがさらに検知を行った場合、コンテンツ選択部５０は、「北側で発煙発生・南側でガス漏れ発生」や「東側通路で非難せよ」などのメッセージを検知時間に応じて選択する。
【００３８】
次に、本発明の別の変形例を説明する。変形例に係る表示装置１００は、実施例や変形例と同様に、光ディスクに記録した動画像データを再生してモニタへ表示する。しかしながら、別の変形例に係る表示装置１００は、センサを備えない。そのかわりに、外部のコンピュータにセンサが接続され、コンピュータがセンサの検出結果を受けつける。また、表示装置１００は、コンピュータからの入力信号を受けつけることによって、これまでと同様に、表示装置１００は、センサでの検出結果も周期的にモニタへ表示する。
【００３９】
図６は、本発明の別の実施例に係る表示装置１００の構成を示す。表示装置１００は、光ディスク再生部１０、表示部１２、緊急情報再生部１４、挿入部１８、制御部３６を含む。また、表示装置１００には、判定部７０が接続され、判定部７０には、センサ部１６と総称される第１センサ部１６ａ、第２センサ部１６ｂが接続される。緊急情報再生部１４は、生成部４０、記憶部４２、第１スイッチ４４、第２スイッチ４６を含む。挿入部１８は、図１と同様のタイプである。
【００４０】
判定部７０は、表示装置１００の外部に備えられたコンピュータである。判定部７０は、図４の方向判定部４８、コンテンツ選択部５０に相当する。判定部７０は、図４の方向判定部４８からの信号、コンテンツ選択部５０からの信号に対応した信号を第１スイッチ４４、第２スイッチ４６へそれぞれ出力する。なお、センサ部１６、判定部７０の代わりに、人間が入力信号を手動にて入力してもよい。
【００４１】
本発明の実施例によれば、再生した動画像の所定の区間にわたって周期的に、メッセージが示された画像フレームを挿入して表示するので、メッセージの注目度を向上できる。また、メッセージの注目度が向上されるので、動画像を視聴しているユーザに対して、センサの検出結果を有効に通知できる。また、動画像での各画像フレームの再生タイミングに同期するように、メッセージが示された画像フレームを挿入するので、メッセージが示された画像フレームを挿入するときでも、動画像をスムーズに再生できる。また、動画像での各画像フレームの再生タイミングに同期するように、メッセージが示された画像フレームを挿入するので、動画像の再生を容易にできる。また、検知がなされたセンサに応じてメッセージの内容を変更するので、詳細な情報をユーザに通知できる。
【００４２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４３】
本発明の実施例や変形例において、光ディスク２０としてＤＶＤを説明している。しかしながらこれに限らず例えば、光ディスク２０としてＢＤ（Ｂｌｕ−ｒａｙ  Ｄｉｓｃ）やその他の光ディスクであってもよい。本変形例によれば、さまざまな種類の光ディスク２０に本発明を適用できる。
【００４４】
本発明の実施例や変形例において、表示装置１００は、光ディスク再生部１０において再生された動画像を表示する。しかしながらこれに限らず例えば、表示装置１００は、光ディスク再生部１０以外において再生された動画像を表示してもよい。一例として、テレビジョン放送受像器や自主放送受像器において再生された動画像が表示される。その際、テレビジョン放送受像器や自主放送受像器には、動画像再生部２８が備えられており、動画像再生部２８は、これまでと同様の処理を実行する。その結果、このような変形例においても、緊急情報再生部１４、挿入部１８の処理は、これまでと同様である。本変形例によれば、さまざまな動画像の記録形式に対して本発明を適用できる。
【００４５】
本発明の変形例において、センサ部１６の数が「２」であるとしている。しかしながらこれに限らず例えば、センサ部１６の数は「３」以上であってもよい。その際、記憶部４２には、センサ部１６の数に応じた種類の緊急情報が記憶されており、コンテンツ選択部５０は、それらの中からいずれかの緊急情報を選択する。本変形例によれば、さらに詳細な情報をユーザに通知できる。
【図面の簡単な説明】
【００４６】
【図１】本発明の実施例に係る再生装置の構成を示す図である。
【図２】図２（ａ）−（ｄ）は、図１の再生装置の動作原理を示す図である。
【図３】図１の再生装置による再生手順を示すフローチャートである。
【図４】本発明の変形例に係る再生装置の構成を示す図である。
【図５】図４のコンテンツ選択部に記憶されたテーブルのデータ構造を示す図である。
【図６】本発明の別の実施例に係る再生装置の構成を示す図である。
【符号の説明】
【００４７】
１０  光ディスク再生部、  １２  表示部、  １４  緊急情報再生部、  １６  センサ部、  １８  挿入部、  ２０  光ディスク、  ２２  スピンドルモータ、  ２４  再生制御部、  ２６  光ヘッド、  ２８  動画像再生部、  ３６  制御部、  ４０  生成部、  ４２  記憶部、  ４４  第１スイッチ、  ４６  第２スイッチ、  ６０  第１減衰部、  ６２  否定演算回路、  ６４  第２減衰部、  ６６  合成部、  １００  表示装置。
【図１】
2010154288.tif 000003
【図２】
2010154288.tif 000004
【図３】
2010154288.tif 000005
【図４】
2010154288.tif 000006
【図５】
2010154288.tif 000007
【図６】
2010154288.tif 000008